(57)【要約】【課題】  追加の基地局を必要とせず、かつ、管理者などにおける予測工数を必要とせずに、時間遅れを削減して基地局を適切に制御する。【解決手段】  本発明の基地局管理装置は、第１のイベントが実施された施設に設けられた基地局における通信負荷を、第１のイベントに関連付けて学習する負荷学習手段と、第１のイベントと同じ又は少なくとも一つのパラメータが第１のイベントと同じである第２のイベントにおいて、第１のイベントに関連付けて学習された通信負荷を用いて基地局を制御する基地局制御手段と含む。【選択図】  図１
2019205082.tif 000002
【特許請求の範囲】
【請求項１】
第１のイベントが実施された施設に設けられた基地局における通信負荷を、前記第１のイベントに関連付けて学習する負荷学習手段と、
前記第１のイベントと同じ又は少なくとも一つのパラメータが前記第１のイベントと同じである第２のイベントにおいて、前記第１のイベントに関連付けて学習された前記通信負荷を用いて前記基地局を制御する基地局制御手段と
を含む基地局管理装置。
【請求項２】
前記パラメータが、イベントの種類、イベントの開始時間、イベントの終了時間、イベントの開始から終了までの時間、イベントの開催時期、イベントの観客の数、イベントにおける観客の分布、又は、イベントにおける前記基地局と通信する無線端末の分布、の少なくとも一つを含む
請求項１に記載の基地局管理装置。
【請求項３】
前記負荷学習手段が、前記第１のイベントにおける時間経過に沿って前記基地局の前記通信負荷を学習し、
前記基地局制御手段が、学習された前記通信負荷を用いて、前記第２のイベントにおける時間経過に沿って前記基地局を制御する
請求項１又は２に記載に基地局管理装置。
【請求項４】
前記第１のイベント及び前記第２のイベントが、同じ種類の複数のサブ・イベントを含み、
前記負荷学習手段が、前記第１のイベントにおける前記サブ・イベントそれぞれにおける前記通信負荷を学習し、
前記基地局制御手段が、前記第２のイベントにおける前記サブ・イベントそれぞれにおける前記基地局を制御する
請求項１ないし３のいずれか１項に記載の基地局管理装置。
【請求項５】
前記基地局から前記通信負荷を収集する負荷収集手段と、
前記第１のイベント及び前記第２のイベントに関連する情報を取得するイベント取得手段と
をさらに含む請求項１ないし４のいずれか１項に記載の基地局管理装置。
【請求項６】
第１のイベント、及び、前記第１のイベントと同じ又は少なくとも一つのパラメータが前記第１のイベントと同じである第２のイベントが行われる施設に設けられ、所定の通信網に接続された基地局と、
前記第１のイベント及び前記第２のイベントに関連する情報を送信するイベント送信装置と、
前記基地局から通信負荷を収集する負荷収集手段と、
前記第１のイベント及び前記第２のイベントに関連する情報を取得するイベント取得手段と、
前記第１のイベントにおける前記基地局の前記通信負荷を、前記第１のイベントに関連付けて学習する負荷学習手段と、
前記第２のイベントにおいて、前記第１のイベントに関連付けて学習された前記通信負荷を用いて前記基地局を制御する基地局制御手段と
を含む基地局管理装置と
を含む基地局管理システム。
【請求項７】
第１のイベントが実施された施設に設けられた基地局における通信負荷を、前記第１のイベントに関連付けて学習し、
前記第１のイベントと同じ、又は、少なくとも一つのパラメータが前記第１のイベントと同じである、第２のイベントにおいて、前記第１のイベントに関連付けて学習された前記通信負荷を用いて前記基地局を制御する
基地局管理方法。
【請求項８】
第１のイベントが実施された施設に設けられた基地局における通信負荷を、前記第１のイベントに関連付けて学習する処理と、
前記第１のイベントと同じ、又は、少なくとも一つのパラメータが前記第１のイベントと同じである第２のイベントにおいて、前記第１のイベントに関連付けて学習された前記通信負荷を用いて前記基地局を制御する処理と
をコンピュータに実行させるプログラム。
【発明の詳細な説明】
【技術分野】
【０００１】
本発明は、無線端末の通信を中継する基地局に関し、特に、基地局を管理する基地局管理装置などに関する。
【背景技術】
【０００２】
携帯電話などの無線端末間の通信は、無線端末と、その無線端末と通信する基地局と、基地局を接続する交換局とで構成されている。
【０００３】
基地局は、動的に、複数の無線端末との接続を切り替えて、無線端末と交換局との接続を確保している。
【０００４】
交換局は、他の交換局と協働して、送信元の無線端末と接続している基地局と、通信先の無線端末と接続している基地局との接続経路を実現する。
【０００５】
基地局に接続している無線端末の数、つまり通信負荷は、変化する。そこで、基地局の通信負荷に対応して、通信を適切に実行するための技術が提案されている（例えば、特許文献１ないし３を参照）。
【０００６】
特許文献１に記載の伝播状況管理装置（サーバ）は、端末の位置送信機からの位置情報と通信品質とを基に、基地局の電波強度を変更する。
【０００７】
特許文献２に記載の無線基地局は、サブ基地局を備える。そして、無線基地局の通信量が増大（エリア内の端末数が増加）すると、無線基地局は、通信範囲を狭くして、その無線基地局の担当する端末数を減らす。そして、各サブ基地局が、無線基地局と通信できなくなったエリアの端末の通信を担当する。
【０００８】
特許文献３に記載の無線通信システムは、２種類の基地局（第１の基地局と第２の基地局）を備え、所定のスケジュールに沿って第２の基地局のトラフィック量を変更する。
【先行技術文献】
【特許文献】
【０００９】
【特許文献１】特開２０１５−０７３２３５号公報
【特許文献２】特開２００５−０３３３８９号公報
【特許文献３】特開２０１１−１２４８４４号公報
【発明の概要】
【発明が解決しようとする課題】
【００１０】
特許文献１に記載の伝播状況管理装置は、通信状態を検出してから基地局を設定する。そのため、特許文献１に記載の伝播状況管理装置は、通信状態の変化に対する基地局の設定までの時間遅れが発生するという問題点があった。
【００１１】
特許文献２に記載の無線基地局は、通常時は使用しないサブ基地局を必要とするという問題点があった。
【００１２】
特許文献３に記載の無線通信システムでは、利用者が、第２の基地局におけるトラフィック量を変更するスケジュールを設定する必要がある。つまり、特許文献３に記載の無線通信システムを用いる場合、無線通信システムの利用者は、トラフィック量を予測する必要があった。このように、特許文献３に記載の無線通信システムは、システムの管理者などにおける工数（トラフィック量の予測工数）が必要であるという問題点があった。
【００１３】
本発明の目的は、上記問題点を解決し、サブ基地局のような追加の基地局を必要とせず、かつ、管理者などにおける予測などの工数を必要とせずに、時間遅れを削減して基地局を適切に制御する基地局管理装置などを提供することにある。
【課題を解決するための手段】
【００１４】
本発明の一形態における情報処理装置は、第１のイベントが実施された施設に設けられた基地局における通信負荷を、第１のイベントに関連付けて学習する負荷学習手段と、第１のイベントと同じ又は少なくとも一つのパラメータが第１のイベントと同じである第２のイベントにおいて、第１のイベントに関連付けて学習された通信負荷を用いて基地局を制御する基地局制御手段とを含む。
【００１５】
本発明の一形態における基地局管理システムは、第１のイベント、及び、第１のイベントと同じ又は少なくとも一つのパラメータが第１のイベントと同じである第２のイベントが行われる施設に設けられ、所定の通信網に接続された基地局と、第１のイベント及び第２のイベントに関連する情報を送信するイベント送信装置と、基地局から通信負荷を収集する負荷収集手段と、第１のイベント及び第２のイベントに関連する情報を取得するイベント取得手段と、第１のイベントにおける基地局の通信負荷を、第１のイベントに関連付けて学習する負荷学習手段と、第２のイベントにおいて、第１のイベントに関連付けて学習された通信負荷を用いて基地局を制御する基地局制御手段とを含む基地局管理装置とを含む。
【００１６】
本発明の一形態における情報処理方法は、第１のイベントが実施された施設に設けられた基地局における通信負荷を、第１のイベントに関連付けて学習し、第１のイベントと同じ、又は、少なくとも一つのパラメータが第１のイベントと同じである、第２のイベントにおいて、第１のイベントに関連付けて学習された通信負荷を用いて基地局を制御する。
【００１７】
本発明の一形態におけるプログラムは、第１のイベントが実施された施設に設けられた基地局における通信負荷を、第１のイベントに関連付けて学習する処理と、第１のイベントと同じ、又は、少なくとも一つのパラメータが第１のイベントと同じである第２のイベントにおいて、第１のイベントに関連付けて学習された通信負荷を用いて基地局を制御する処理とをコンピュータに実行させる。
【発明の効果】
【００１８】
本発明に基づけば、追加の基地局を必要とせず、かつ、管理者などにおける予測工数を必要とせずに、時間遅れを削減して基地局を適切に制御するとの効果を奏することができる。
【図面の簡単な説明】
【００１９】
【図１】図１は、第１の実施形態に係る基地局管理装置の構成の一例を示すブロック図である。
【図２】図２は、第１の実施形態に係る基地局管理装置を含む基地局管理システムの構成の一例を示す図である。
【図３】図３は、第１の実施形態に係る基地局管理装置における基地局の通信負荷を学習する動作の一例を示すフローチャートである。
【図４】図４は、第１の実施形態に係る基地局管理装置における基地局を制御する動作の一例を示すフローチャートである。
【図５】図５は、説明の用いる施設の構成を示す概略図である。
【図６】図６は、施設における基地局の配置例を示す図である。
【図７】図７は、サッカーの試合における基地局の通信負荷の一例を示す図である。
【図８】図８は、陸上競技の試合中における基地局の通信負荷の一例を示す図である。
【図９】図９は、コンサートにおける基地局の通信負荷の一例を示す図である。
【図１０】図１０は、コンサートの開場時における基地局の通信負荷の一例を示す図である。
【図１１】図１１は、コンサートの開場から開演までの間の入場途中における基地局の通信負荷の一例を示す図である。
【図１２】図１２は、サッカー開場時における基地局の通信負荷の一例を示す図である。
【図１３】図１３は、第１の実施形態に係る基地局管理装置の概要の一例の構成を示すブロック図である
【図１４】図１４は、基地局管理装置のハードウェア構成の一例を示すブロック図である。
【発明を実施するための形態】
【００２０】
次に、本発明の実施形態について図面を参照して説明する。
【００２１】
各図面は、本発明の実施形態を説明するためのものである。ただし、本発明は、各図面の記載に限られるわけではない。また、各図面の同様の構成には、同じ番号を付し、その繰り返しの説明を、省略する場合がある。また、以下の説明に用いる図面において、本発明の説明に関係しない部分の構成については、記載を省略し、図示しない場合もある。
【００２２】
＜第１の実施形態＞
以下、図面を参照して、本発明における第１の実施形態について説明する。
【００２３】
本発明における第１の実施形態に係る基地局管理装置１０は、所定の基地局２０を管理する。
【００２４】
図２は、第１の実施形態に係る基地局管理装置１０を含む基地局管理システム５０の構成の一例を示す図である。
【００２５】
基地局管理システム５０は、基地局管理装置１０と、基地局２０と、通信網３０と、イベント送信装置４０とを含む。
【００２６】
基地局２０は、所定の施設に設けられ、その施設内及び／又は施設の近傍における図示しない携帯電話のような無線端末と通信網３０との間の通信を中継する。基地局２０は、それぞれ、通信負荷の状態（以下、単に「通信負荷」と呼ぶ場合もある）を基地局管理装置１０に送信する。さらに、基地局２０は、それぞれ、無線端末との通信を基地局管理装置１０に制御されている。例えば、基地局２０は、基地局管理装置１０に制御されて、無線端末との通信に用いる通信帯域、及び／又は、通信方法（例えば、直行周波数分割多重方法など）を変更する。ただし、基地局２０における通信の制御は、上記に限定されない。
【００２７】
また、施設は、例えば、スポーツ施設（陸上競技場、サーカー場、又は、競馬場など）、又は、イベント会場（展示会場、コンサートホール、劇場、又は遊園地）である。ただし、施設は、上記に限定されない。
【００２８】
通信網３０は、図示しない交換局を含み、基地局２０間の通信を実現する。なお、通信網３０は、施設に設けられた基地局２０間の通信に限られず、施設とは異なる場所に設けられた基地局２０と、施設に設けられた基地局２０と間の通信を実現してもよい。
【００２９】
イベント送信装置４０は、施設において実行されるイベントに関連する情報（以下、イベントに関連する情報を単に「イベント」と呼ぶ場合もある）を基地局管理装置１０に送信する。
【００３０】
基地局管理装置１０は、イベント送信装置４０から受信したイベントと、基地局２０から受信した通信負荷とを基に、イベントに関連する通信負荷を学習し、保存する。そして、基地局管理装置１０は、学習した通信負荷を用いて、それ以降における学習したイベントと同じイベント、又は、少なくとも一つのパラメータが学習したイベントのパラメータと同じであるイベントにおいて、基地局２０における通信設定などを制御する。以下、少なくとも一つのパラメータが学習したイベントと同じであるイベントを「類似するイベント」と呼ぶ。
【００３１】
類似するイベントとは、学習したイベントと同様に観客を動員するイベントである。ここで、基地局２０の通信負荷は、観客に対応している。すなわち、類似するイベントとは、基地局２０における通信負荷が同様となるイベントである。言い換えると、あるイベント（以下、「イベントＡ」）に類似するイベント（以下、「イベントＢ」）とは、基地局管理装置１０がイベントＢにおいて、イベントＡに関連して学習された通信負荷を用いて基地局２０を制御できるイベントである。
【００３２】
基地局管理装置１０は、予め、イベントの類似に関する情報（例えば、類似するイベント及び／又はパラメータの対応表）を保持しておけばよい。
【００３３】
なお、第１の実施形態において、パラメータは、限定されない。パラメータの一例は、イベントの種類である。
【００３４】
イベントの種類とは、例えば、スポーツ、展示会、又は、コンサートなど、イベントの観客の分布などの違いに基づく分類である。
【００３５】
例えば、ピッチを用いて２つのチームが対戦する競技（例えば、サッカー、ラグビー、及びホッケー）は、観客の位置は概ね同じとなるため、互いに類似するイベントである。
【００３６】
イベントの種類は、複数の階層を備えていてもよい。イベントの種類が複数の階層を備える場合、基地局管理装置１０は、イベントに合わせて使用する階層を選択してもよい。
【００３７】
一例として、２階層の場合を説明する。イベントの種類の最上位層は、「展示会、スポーツ」とする。「展示会」の下位層は、「商談会、フリーマーケット」とする。「スポーツ」の階層は、「サッカー、陸上競技」とする。この場合、展示会は、会場全体に観客が広がるため、下位層での通信負荷の違いは少ない。一方、スポーツは、種目ごとに観客の位置が異なるため、下位層での通信負荷が異なる。そこで、基地局管理装置１０は、展示会の場合のイベントの種類としては最上位層である「展示会」を用い、スポーツの場合のイベントの種類としては下位層の「サッカー」又は「陸上競技」を用いてもよい。
【００３８】
ただし、第１の実施形態におけるパラメータは、イベントの種類に限定されない。
【００３９】
パラメータは、イベントの開始時間及び／又は終了時間、イベントの開始から終了までの時間（以下、「イベント期間」と呼ぶ）、又はイベントの開催時期など、イベントの時間に関連する情報でもよい。
【００４０】
あるいは、パラメータは、イベントの観客の数、イベントにおける観客の分布、観客席の分布、又は、基地局２０と通信する無線端末の分布など、観客及び／又は通信端末に関連する情報でもよい。
【００４１】
基地局管理装置１０は、イベントに関する情報として、少なくとも一つのパラメータを受信する。
【００４２】
なお、基地局管理装置１０が、観客の分布、又は、無線端末の分布を用いる場合、その分布の取得手段を、限定されない。例えば、基地局管理装置１０は、基地局２０からその基地局２０に接続している無線端末の数を取得してもよい。あるいは、基地局管理装置１０は、所定のカメラの画像を基に、観客の位置及び移動状況などを基に、観客の分布、及び、分布の時間経過に伴う変化を算出してもよい。
【００４３】
以下、図面を参照して、基地局管理装置１０について、詳細を説明する。
【００４４】
［構成の説明］
まず、図面を参照して、本発明における第１の実施形態に係る基地局管理装置１０の構成について説明する。
【００４５】
図１は、第１の実施形態に係る基地局管理装置１０の構成の一例を示すブロック図である。
【００４６】
基地局管理装置１０は、負荷収集部１１０と、イベント取得部１２０と、負荷学習部１３０と、基地局制御部１４０とを含む。
【００４７】
負荷収集部１１０は、基地局２０における通信負荷を収集する。負荷収集部１１０は、収集した通信負荷を負荷学習部１３０に送信する。
【００４８】
イベント取得部１２０は、所定の装置（例えば、イベントに関する情報を送信するイベント送信装置４０）からイベントを取得する。イベント取得部１２０は、イベントを、負荷学習部１３０及び基地局制御部１４０に送信する。
【００４９】
負荷学習部１３０は、負荷収集部１１０から通信負荷を受信し、イベント取得部１２０からイベントを受信する。
【００５０】
そして、負荷学習部１３０は、イベントと通信負荷とを用いて、イベントに関連する基地局２０における通信負荷を学習する。なお、負荷学習部１３０が用いる学習は、限定されない。例えば、学習は、サポートベクターマシンのような一般的な機械学習に限られず、ディープラーニングなどのような人工知能を用いたより高度な機械学習でもよい。
【００５１】
ここで、負荷学習部１３０が、イベントと通信負荷とを用いる理由を説明する。
【００５２】
図５は、以下の説明の用いる施設６０の構成を示す概略図である。施設６０は、陸上競技用のトラックと、サッカー用のピッチとを備える。そして、施設６０は、トラックなど取り囲むように固定的な席（観客席）が設けられている。さらに、施設６０は、４箇所の出入口を備える。
【００５３】
図６は、施設６０における基地局２０の配置例を示す図である。基地局２０は、施設６０の固定的な観客席に適宜配置されている。基地局２０は、施設６０において行われるイベントに対応して、利用状況（つまり、通信負荷の軽重）が異なる。
【００５４】
以下、具体的な例を用いて説明する。なお、以下の説明に用いる図において、通信負荷が重い基地局２０は、黒塗りで示されている。また、通信負荷が軽い基地局２０は、破線を用いて示されている。
【００５５】
例えば、サッカーの試合が実施される場合、観客（サポーター）は、ピッチを挟んで応援するチームのサイドに集まる。そのため、基地局２０の通信負荷は、ピッチを挟んだサポーターの応援位置で重くなる。
【００５６】
図７は、サッカーの試合における基地局２０の通信負荷の一例を示す図である。図７において、サポーター席における基地局２０の通信負荷が重くなっている。
【００５７】
一方、陸上競技の場合、観客は、必ずしもトラックの直線部分に集まるとは限らない。
【００５８】
図８は、陸上競技の試合中における基地局２０の通信負荷の一例を示す図である。陸上競技は、競技場全体において行われるため、図８において、全ての観客席における基地局２０の通信負荷が、同程度に重くなっている。
【００５９】
さらに、施設６０は、スポーツ以外のイベントに利用される場合がある。
【００６０】
例えば、施設６０は、コンサートの会場となる場合がある。この場合、ステージは、例えば、トラック及びピッチと一部に設けられる。そして、観客席は、固定的な観客席の一部と、トラック及びピッチの一部に設けられる。
【００６１】
図９は、コンサートにおける基地局２０の通信負荷の一例を示す図である。図９において、コンサート用の観客席は、固定的な観客席、トラック、及びピッチの一部を用いて設けられている。そして、その観客席に近い基地局２０の通信負荷が、重くなっている。
【００６２】
このように、基地局２０の通信負荷は、施設６０において行われるイベントに関連して異なる。
【００６３】
そこで、負荷学習部１３０は、イベントと通信負荷とを所定の機械学習に適用して、イベントに関連した通信負荷を学習する。
【００６４】
そして、負荷学習部１３０は、学習した通信負荷を、イベントに関連させて保存する。
【００６５】
なお、負荷学習部１３０は、一つのイベントに限られず、複数のイベントに対して通信負荷を学習して保存してもよい。さらに、負荷学習部１３０は、一回のイベントではなく、複数回のイベントにおける履歴を用いて学習してもよい。
【００６６】
以下の説明において、負荷学習部１３０が学習に用いたイベントを、「第１のイベント」と呼ぶ場合もある。
【００６７】
基地局制御部１４０は、イベント取得部１２０から新たに開始するイベントを取得する。このイベントは、負荷学習部１３０が学習に用いたイベントと同じイベント、又は、学習に用いたイベントにおける少なくとも一つのパラメータが同じであるイベント（類似するイベント）である。
【００６８】
そして、基地局制御部１４０は、負荷学習部１３０が保存した学習結果の通信負荷から、受信したイベントの同じ又は類似するイベントと関連する通信負荷を用いて、基地局２０を制御する。
【００６９】
以下の説明において、基地局制御部１４０が基地局２０を制御するイベントを、「第２のイベント」と呼ぶ場合もある。
【００７０】
基地局制御部１４０が基地局２０を制御するやり方は、限定されない。例えば、基地局制御部１４０は、保存されている通信負荷に対応するプロファイルを用いて、基地局２０における稼働状態に対するパラメータを設定してもよい。
【００７１】
あるいは、基地局制御部１４０は、保存されている通信負荷に沿って、基地局２０におけるハンドオーバーを制御してもよい。
【００７２】
あるいは、基地局制御部１４０は、一部の基地局２０を待機状態又は電源断としてもよい。
【００７３】
基地局制御部１４０は、基地局２０を制御するための情報（例えば、上記のプロファイル）を保存するデータベースを備えていてもよい。
【００７４】
なお、基地局制御部１４０が基地局２０を制御するイベント（第２のイベント）の発生前であれば、負荷学習部１３０が学習する時機は、限定されない。
【００７５】
例えば、負荷学習部１３０は、学習対象となるイベント（第１のイベント）が実行されたときに、学習してもよい。
【００７６】
あるいは、基地局管理装置１０が図示しない記憶部を備え、負荷収集部１１０及びイベント取得部１２０が、その記憶部に、予め、基地局２０の通信負荷及びイベント（第１のイベント）を保存してもよい。そして、基地局制御部１４０が基地局２０を制御するイベント（第２のイベント）の実施前の所定の時機に、負荷学習部１３０が、保存されている通信負荷とイベント（第１のイベント）とを用いて学習してもよい。この場合、負荷収集部１１０とイベント取得部１２０と記憶部とのいずれか一部又は全てが、基地局管理装置１０の外部に設けられていてもよい。
【００７７】
なお、基地局制御部１４０は、実際に発生している基地局２０に通信負荷の状態を参照して、基地局２０に対する制御内容を修正してもよい。この場合、基地局制御部１４０は、負荷収集部１１０から通信負荷を取得すればよい。図１は、破線を用いてこの場合の通信負荷の取得を示している。
【００７８】
なお、基地局２０の通信負荷は、イベントの進捗に沿って変化する。
【００７９】
例えば、施設６０でコンサートが行われる場合、観客の分布は、開場時と、開場から開演までの間と、開演中（コンサート中）とでは異なる。
【００８０】
例えば、開場時は、観客は出入口の周辺に分布している。
【００８１】
図１０は、コンサートの開場時における基地局２０の通信負荷の一例を示す図である。なお、このコンサートの場合、観客が利用する出入口は、コンサートにおける観客席に接続する左側の２つの出入口となっている。図１０において、２つの出入口の周辺の基地局２０の通信負荷が、重くなっている。
【００８２】
図１１は、コンサートの開場から開演までの間の入場途中における基地局２０の通信負荷の一例を示す図である。開場からある程度の時間が経過すると、観客は、施設６０の出入口から内部に広がる。そのため、図１１において、通信負荷が重い基地局２０の範囲が、出入口の近傍から広がっている。
【００８３】
このように、基地局２０それぞれにおける通信負荷は、時間に沿って変化する場合がある。
【００８４】
そこで、負荷学習部１３０は、第１のイベントにおける時間経過に沿った通信負荷の変化を学習してもよい。
【００８５】
この場合、基地局制御部１４０は、学習された通信負荷の変化を用いて、第２のイベントにおける時間経過に沿って基地局２０における通信を制御すればよい。
【００８６】
なお、第２のイベントの開始から終了までの時間（以下、「第２のイベント期間」と呼ぶ）が、第１のイベントの開始から終了までの時間（以下、「第１のイベント期間」と呼ぶ）と異なる場合がある。
【００８７】
その場合、基地局制御部１４０は、第１のイベント期間と第２のイベント期間とに時間比率を用いて、基地局２０を制御してもよい。例えば、第２のイベント期間が、第１のイベント期間の二倍の場合、基地局制御部１４０は、第２のイベントにおける経過時間の半分の時間に対応する第１のイベントにおける通信負荷を用いて基地局２０を制御すればよい。
【００８８】
あるいは、基地局管理装置１０は、各イベントを複数の部分（以下、「サブ・イベント」と呼ぶ）に分けて動作してもよい。具体的には、負荷学習部１３０は、サブ・イベントごとに基地局２０の通信負荷を学習する。そして、基地局制御部１４０は、サブ・イベントごとに基地局２０を制御する。
【００８９】
サブ・イベントとは、イベントを複数のイベントに分割したものである。例えば、「３幕の演劇」におけるサブ・イベントは、「開場から第１幕開演まで」、「第１幕」、「幕間」、「第２幕」、「幕間」、「第３幕」、及び「第３幕終演から閉場まで」である。あるいは、例えば、「サッカーの試合」におけるサブ・イベントは、「試合前」、「前半」、「ハーフタイム」、「後半」、（「延長」）及び「試合後」である。ただし、サブ・イベントは、上記に限定されない。
【００９０】
なお、基地局２０の設定を変化させる時間単位は、限定されない。基地局管理装置１０は、所定の時間単位（例えば、ミリ秒単位、秒単位、又は、分単位）で基地局２０の設定を制御すればよい。
【００９１】
ただし、時間に沿った基地局２０の通信負荷は、イベントに対応して変化する。
【００９２】
例えば、イベントが異なると、開場時の観客の流れは異なる。
【００９３】
図１２は、サッカー開場時における基地局２０の通信負荷の一例を示す図である。図１２に示されているサッカー開場時において、施設６０は、４箇所の出入口を開放する。そのため、図１０の場合と異なり、図１２において４箇所の出入口近傍の基地局２０の通信負荷が、重くなっている。
【００９４】
そこで、負荷学習部１３０は、時間の経過に沿って学習する場合でも、イベントに関連するように基地局２０の通信負荷の変化を学習する。
【００９５】
なお、時間経過に伴う学習に用いる情報は、限定されない。例えば、負荷収集部１１０は、基地局２０の通信負荷に加え、所定にカメラから画像を基に、時間経過に伴う施設６０における観客の位置及び移動状況を取得してもよい。
【００９６】
この場合、負荷収集部１１０又は負荷学習部１３０は、観客の位置及び移動状況から、イベントの時間結果に対応した観客又は無線端末の分布及び分布の時間経過に伴う変化を算出する。そして、負荷学習部１３０は、第１のイベントおける観客又は無線端末の分布、及び、分布の変化を用いて通信負荷の変化を学習すればよい。
【００９７】
そして、基地局制御部１４０は、第２のイベントにおける観客又は無線端末の分布、及び、分布の変化に対応して基地局２０を制御すればよい。
【００９８】
［動作の説明］
次に、図面を参照して、第１の実施形態に係る基地局管理装置１０の動作について説明する。
【００９９】
まず、基地局管理装置１０における基地局２０の通信負荷を学習する動作について説明する。
【０１００】
図３は、第１の実施形態に係る基地局管理装置１０における基地局２０の通信負荷を学習する動作の一例を示すフローチャートである。
【０１０１】
負荷学習部１３０は、施設６０において実施されたイベント（第１のイベント）を取得する（ステップＳ１０１）。例えば、負荷学習部１３０は、イベント取得部１２０を介してイベント送信装置４０からイベントを取得する。あるいは、負荷学習部１３０は、イベント取得部１２０が予め取得し、所定の構成又は装置に保持されたイベントを取得してもよい。
【０１０２】
負荷学習部１３０は、イベントに対応した基地局２０の通信負荷を取得する（ステップＳ１０３）。例えば、負荷学習部１３０は、負荷収集部１１０から通信負荷を取得してもよい。あるいは、負荷学習部１３０は、予め負荷収集部１１０が取得し、所定の構成又は装置に保持された通信負荷を取得してもよい。
【０１０３】
なお、ステップＳ１０１とＳ１０３との動作順は、上記に限定されない。基地局管理装置１０は、ステップＳ１０３を先に実行してもよい。あるいは、基地局管理装置１０は、ステップＳ１０１とＳ１０３との少なくとも一部を並行に実行してもよい。
【０１０４】
そして、負荷学習部１３０は、イベントに関連付けて基地局２０における通信負荷の学習する（ステップＳ１０５）。
【０１０５】
なお、負荷学習部１３０は、学習結果である通信負荷を基地局制御部１４０に送信してもよく、所定の記憶部に保存してもよい。
【０１０６】
次に、基地局管理装置１０における基地局２０を制御する動作について説明する。
【０１０７】
図４は、第１の実施形態に係る基地局管理装置１０における基地局２０を制御する動作の一例を示すフローチャートである。
【０１０８】
基地局制御部１４０は、実施されるイベント（第２のイベント）を取得する（ステップＳ２０１）。例えば、基地局制御部１４０は、イベント取得部１２０を介してイベント送信装置４０からイベントを取得する。
【０１０９】
基地局制御部１４０は、実施されるイベント（第２のイベント）と同じ又は類似するイベント（第１のイベント）に関連付けて学習された通信負荷を取得する（ステップＳ２０３）。例えば、基地局制御部１４０は、負荷学習部１３０から学習された通信負荷を受信してよい。あるいは、基地局制御部１４０は、所定の記憶部又は記憶装置に保存されている学習された通信負荷を取得してもよい。
【０１１０】
そして、基地局制御部１４０は、実施されるイベント（第２のイベント）の開始を待つ（ステップＳ２０５）。
【０１１１】
イベント（第２のイベント）が開始すると、基地局制御部１４０は、取得した通信負荷を用いて、基地局２０を制御する（ステップＳ２０７）。
【０１１２】
［その他の実施形態］
なお、基地局管理装置１０は、所定の施設６０に備えられた基地局２０に限られず、施設６０の周辺の基地局２０を含めて管理してもよい。
【０１１３】
また、基地局管理装置１０は、屋内用の基地局２０に限らず、屋外用の基地局２０を管理してもよい。
【０１１４】
さらに、基地局管理装置１０は、イベントに応じて、管理する基地局２０の範囲を変更してもよい。
【０１１５】
例えば、施設６０内で実施されるイベント（例えば、所定業界の見本市）の場合、基地局管理装置１０は、施設６０内の基地局２０を管理する。一方、最寄り駅から施設６０までの商店街を含めたイベント（例えば、祭り）の場合、基地局管理装置１０は、施設６０及び商店街の基地局２０を管理してもよい。あるいは、マラソン競技の場合、基地局管理装置１０は、マラソンの進捗（例えば、先頭集団の位置）に合わせて、競技場及びマラソン・コースに配置された基地局２０において、管理対象となる基地局２０を変更してもよい。
【０１１６】
［効果の説明］
次に第１の実施形態に係る基地局管理装置１０の効果について説明する。
【０１１７】
第１の実施形態に係る基地局管理装置１０は、追加の基地局２０を必要とせず、かつ、管理者などにおける予測工数を必要とせずに、時間遅れを削減して基地局２０を適切に制御するとの効果を得ることができる。
【０１１８】
その理由は、次のとおりである。
【０１１９】
基地局管理装置１０は、負荷学習部１３０と、基地局制御部１４０とを含む。負荷学習部１３０は、第１のイベントが実施された施設６０に設けられた基地局２０における通信負荷を、第１のイベントに関連付けて学習する。基地局制御部１４０は、第１のイベントと同じ又は少なくとも一つのパラメータが第１のイベントと同じである第２のイベントにおいて、第１のイベントに関連付けて学習された通信負荷を用いて基地局２０を制御する。
【０１２０】
基地局管理装置１０の負荷学習部１３０は、予め、イベントに関連付けて基地局２０の通信負荷を学習する。そして、基地局管理装置１０の基地局制御部１４０は、新たなイベントが行われるときに、学習したイベントに関連付けられた通信負荷（学習の結果である通信負荷）を用いて、基地局２０を制御する。
【０１２１】
基地局管理装置１０は、設置されている基地局２０の通信負荷を用いた学習結果を利用して、基地局２０を制御する。つまり、基地局管理装置１０は、追加の基地局２０を利用しない管理を実行する。
【０１２２】
また、基地局管理装置１０が基地局２０の制御に用いる通信負荷は、基地局管理装置１０が、予め、通信負荷を学習し、その学習の結果として保存されている。そのため、基地局管理装置１０の管理者などは、トラフィック量などを予測する工数を必要とされない。
【０１２３】
さらに、基地局管理装置１０は、予め基地局２０の通信負荷を学習しているため、基地局管理装置１０は、イベントの進行などに対して時間遅れなく基地局２０を制御することができる。
【０１２４】
さらに、基地局管理装置１０は、負荷収集部１１０と、イベント取得部１２０とを含む。負荷収集部１１０は、処理に用いる基地局２０の通信負荷を収集する。イベント取得部１２０は、対象となるイベントを取得する。
【０１２５】
そのため、基地局管理装置１０の管理者などは、基地局２０の通信負荷と、イベントとを取得する必要がない。つまり、基地局管理装置１０は、管理者などにおける上記の情報の取得工数を削減する。
【０１２６】
［実施形態の概要］
図面を参照して、第１の実施形態に係る基地局管理装置１０の概要を説明する。
【０１２７】
図１３は、第１の実施形態に係る基地局管理装置１０の概要の一例である基地局管理装置１１の構成を示すブロック図である。
【０１２８】
基地局管理装置１１は、負荷学習部１３０と、基地局制御部１４０とを含む。負荷学習部１３０は、第１のイベントが実施された施設６０に設けられた基地局２０における通信負荷を、第１のイベントに関連付けて学習する。基地局制御部１４０は、第１のイベントと同じ又は少なくとも一つのパラメータが第１のイベントと同じである第２のイベントにおいて、第１のイベントに関連付けて学習された通信負荷を用いて基地局２０を制御する。
【０１２９】
負荷学習部１３０は、負荷収集部１１０及びイベント取得部１２０と同様の機能を備える装置又は構成から、イベントと通信負荷を取得する。基地局制御部１４０は、イベント取得部１２０と同様の機能を備える装置又は構成からイベントを取得し、負荷学習部１３０から学習後の通信負荷を取得し、基地局２０を制御する。
【０１３０】
このように構成された基地局管理装置１１は、基地局管理装置１０と同様の効果を得ることができる。
【０１３１】
その理由は、基地局管理装置１１の負荷学習部１３０及び基地局制御部１４０が、基地局管理装置１０における同様の構成と同様に動作するためである。
【０１３２】
なお、基地局管理装置１１は、第１の実施形態における最小構成である。
【０１３３】
［ハードウェア構成］
次に、基地局管理装置１０及び基地局管理装置１１のハードウェア構成について、基地局管理装置１０を用いて説明する。
【０１３４】
基地局管理装置１０において、各構成部は、ハードウェア回路で構成されてもよい。
【０１３５】
あるいは、基地局管理装置１０において、各構成部は、ネットワークを介して接続した複数の装置を用いて、構成されてもよい。
【０１３６】
あるいは、基地局管理装置１０において、複数の構成部は、１つのハードウェアで構成されてもよい。
【０１３７】
あるいは、基地局管理装置１０は、ＣＰＵ（Ｃｅｎｔｒａｌ  Ｐｒｏｃｅｓｓｉｎｇ  Ｕｎｉｔ）と、ＲＯＭ（Ｒｅａｄ  Ｏｎｌｙ  Ｍｅｍｏｒｙ）と、ＲＡＭ（Ｒａｎｄｏｍ  Ａｃｅｓｓ  Ｍｅｍｏｒｙ）とを含むコンピュータ装置として実現されてもよい。基地局管理装置１０は、上記構成に加え、さらに、入出力接続回路（ＩＯＣ：Ｉｎｐｕｔｅ  ａｎｄ  Ｏｕｔｐｕｔ  Ｃｉｒｃｕｉｔ）を含むコンピュータ装置として実現されてもよい。基地局管理装置１０は、上記構成に加え、さらに、ネットワークインターフェース回路（ＮＩＣ：Ｎｅｔｗｏｒｋ  Ｉｎｔｅｒｆａｃｅ  Ｃｉｒｃｕｉｔ）を含むコンピュータ装置として実現されてもよい。
【０１３８】
図１４は、基地局管理装置１０のハードウェア構成の一例である情報処理装置６００の構成を示すブロック図である。
【０１３９】
情報処理装置６００は、ＣＰＵ６１０と、ＲＯＭ６２０と、ＲＡＭ６３０と、内部記憶装置６４０と、ＩＯＣ６５０と、ＮＩＣ６８０と、ＮＩＣ６９０とを含み、コンピュータ装置を構成している。
【０１４０】
ＣＰＵ６１０は、ＲＯＭ６２０からプログラムを読み込む。そして、ＣＰＵ６１０は、読み込んだプログラムに基づいて、ＲＡＭ６３０と、内部記憶装置６４０と、ＩＯＣ６５０と、ＮＩＣ６８０と、ＮＩＣ６９０とを制御する。そして、ＣＰＵ６１０を含むコンピュータは、これらの構成を制御し、図１に示されている、負荷収集部１１０と、イベント取得部１２０と、負荷学習部１３０と、基地局制御部１４０としての各機能を実現する。
【０１４１】
ＣＰＵ６１０は、各機能を実現する際に、ＲＡＭ６３０又は内部記憶装置６４０を、プログラムの一時記憶媒体として使用してもよい。
【０１４２】
また、ＣＰＵ６１０は、コンピュータで読み取り可能にプログラムを記憶した記憶媒体７００が含むプログラムを、図示しない記憶媒体読み取り装置を用いて読み込んでもよい。あるいは、ＣＰＵ６１０は、ＮＩＣ６８０又はＮＩＣ６９０を介して、図示しない外部の装置からプログラムを受け取り、ＲＡＭ６３０又は内部記憶装置６４０に保存して、保存したプログラムを基に動作してもよい。
【０１４３】
ＲＯＭ６２０は、ＣＰＵ６１０が実行するプログラム及び固定的なデータを記憶する。ＲＯＭ６２０は、例えば、Ｐ−ＲＯＭ（Ｐｒｏｇｒａｍｍａｂｌｅ−ＲＯＭ）又はフラッシュＲＯＭである。
【０１４４】
ＲＡＭ６３０は、ＣＰＵ６１０が実行するプログラム及びデータを一時的に記憶する。ＲＡＭ６３０は、例えば、Ｄ−ＲＡＭ（Ｄｙｎａｍｉｃ−ＲＡＭ）である。
【０１４５】
内部記憶装置６４０は、情報処理装置６００が長期的に保存するデータ及びプログラムを記憶する。また、内部記憶装置６４０は、ＣＰＵ６１０の一時記憶装置として動作してもよい。内部記憶装置６４０は、例えば、ハードディスク装置、光磁気ディスク装置、ＳＳＤ（Ｓｏｌｉｄ  Ｓｔａｔｅ  Ｄｒｉｖｅ）又はディスクアレイ装置である。
【０１４６】
ＲＯＭ６２０と内部記憶装置６４０とは、不揮発性（ｎｏｎ−ｔｒａｎｓｉｔｏｒｙ）の記憶媒体である。一方、ＲＡＭ６３０は、揮発性（ｔｒａｎｓｉｔｏｒｙ）の記憶媒体である。そして、ＣＰＵ６１０は、ＲＯＭ６２０、内部記憶装置６４０、又は、ＲＡＭ６３０に記憶されているプログラムを基に動作可能である。つまり、ＣＰＵ６１０は、不揮発性記憶媒体又は揮発性記憶媒体を用いて動作可能である。
【０１４７】
ＩＯＣ６５０は、ＣＰＵ６１０と、入力機器６６０及び表示機器６７０とのデータを仲介する。ＩＯＣ６５０は、例えば、ＩＯインターフェースカード又はＵＳＢ（Ｕｎｉｖｅｒｓａｌ  Ｓｅｒｉａｌ  Ｂｕｓ）カードである。さらに、ＩＯＣ６５０は、ＵＳＢのような有線に限らず、無線を用いてもよい。
【０１４８】
入力機器６６０は、情報処理装置６００の操作者からの入力指示を受け取る機器である。入力機器６６０は、例えば、キーボード、マウス又はタッチパネルである。
【０１４９】
表示機器６７０は、情報処理装置６００の操作者に情報を表示する機器である。表示機器６７０は、例えば、液晶ディスプレイである。
【０１５０】
ＮＩＣ６８０は、基地局２０とのデータ（例えば、通信負荷、及び、制御における指示）のやり取りを中継する。ＮＩＣ６８０は、例えば、所定の固定回線、又は、ＬＡＮ（Ｌｏｃａｌ  Ａｒｅａ  Ｎｅｔｗｏｒｋ）カードである。さらに、ＮＩＣ６８０は、有線に限らず、無線を用いてもよい。
【０１５１】
ＮＩＣ６９０は、イベント送信装置４０とのデータ（例えば、イベントに関する情報）のやり取りを中継する。ＮＩＣ６９０は、例えば、ＬＡＮカードである。さらに、ＮＩＣ６９０は、有線に限らず、無線を用いてもよい。
【０１５２】
なお、ＮＩＣ６８０及び６９０は、一つの構成（例えば、ＬＡＮカード）を用いて実現されてもよい。
【０１５３】
このように構成された情報処理装置６００は、基地局管理装置１０と同様の効果を得ることができる。
【０１５４】
その理由は、情報処理装置６００のＣＰＵ６１０が、プログラムに基づいて基地局管理装置１０と同様の機能を実現できるためである。
【０１５５】
以上、実施形態を参照して本願発明を説明したが、本願発明は上記実施形態に限定されるものではない。本願発明の構成及び詳細には、本願発明のスコープ内で当業者が理解し得る様々な変更をすることができる。
【産業上の利用可能性】
【０１５６】
本発明は、スタジアムのような管理対象となる基地局の範囲を限定できる施設、及び、時間遷移で動線変化に傾向が観測できる場所などにおいて利用可能である。例えば、本発明は、展示会場、ショッピングモール、商店街、大学、博物館、空港、及び駅等で利用可能である。
【符号の説明】
【０１５７】
１０    基地局管理装置
１１    基地局管理装置
２０    基地局
３０    通信網
４０    イベント送信装置
５０    基地局管理システム
６０    施設
１１０    負荷収集部
１２０    イベント取得部
１３０    負荷学習部
１４０    基地局制御部
６１０    ＣＰＵ
６２０    ＲＯＭ
６３０    ＲＡＭ
６４０    内部記憶装置
６５０    ＩＯＣ
６６０    入力機器
６７０    表示機器
６８０    ＮＩＣ
６９０    ＮＩＣ
７００    記憶媒体
【図１】
2019205082.tif 000003
【図２】
2019205082.tif 000004
【図３】
2019205082.tif 000005
【図４】
2019205082.tif 000006
【図５】
2019205082.tif 000007
【図６】
2019205082.tif 000008
【図７】
2019205082.tif 000009
【図８】
2019205082.tif 000010
【図９】
2019205082.tif 000011
【図１０】
2019205082.tif 000012
【図１１】
2019205082.tif 000013
【図１２】
2019205082.tif 000014
【図１３】
2019205082.tif 000015
【図１４】
2019205082.tif 000016